(57)【特許請求の範囲】
【請求項１】
コの字型形状に形成された外側支柱脚と、
前記外側支柱脚の屈曲部に設けられた第一の支持部と、
当該第一の支持部と回動可能に連結される第一の横架支柱と、
前記外側支柱脚の互いに対向する２辺の支柱脚の内側にそれぞれ近接する２辺の支柱脚を有する内側支柱脚と、
前記内側支柱脚の屈曲部に設けられた張出し部と、
前記張出し部に設けられた第二の支持部と、
当該第二の支持部と回動可能に連結される第二の横架支柱と、
を備え、
前記外側支柱脚と前記内側支柱脚とは、近接する２辺の支柱脚を回動可能に軸支する回動支軸にて連結され、前記第一の横架支柱と前記第二の横架支柱とは、摺動可能に入れ子状態で連結されることを特徴とする組み立て式テーブルスタンド。
【請求項２】
請求項１に記載の組み立て式テーブルスタンドにおいて、
前記第一の横架支柱には複数の孔が設けられ、前記第二の横架支柱には一つの孔が設けられ、前記第二の横架支柱に設けられた前記一つの孔と、前記第一の横架支柱には設けられた前記複数の孔のうち、いずれか一つの前記孔とを貫通する取り外し可能な貫通部材が設けられることを特徴とする組み立て式テーブルスタンド。
【請求項３】
請求項２に記載の組み立て式テーブルスタンドにおいて、
前記コの字型形状を有する外側支柱脚において、前記内側支柱脚と離間する一つの辺は、摺動可能に入れ子状態で連結される二つの支柱から構成され、前記内側支柱脚において、前記外側支柱脚と離間する一つの辺は、摺動可能に入れ子状態で連結される二つの支柱から構成されていることを特徴とする組み立て式テーブルスタンド。
【請求項４】
請求項２又は３に記載の組み立て式テーブルスタンドにおいて、
前記第一の横架支柱は前記外側支柱脚と連結される端部側において天板と接する部分に天板支持部が設けられ、前記第二の横架支柱は前記内側支柱脚と連結される端部側において天板と接する部分に天板支持部が設けられることを特徴とする組み立て式テーブルスタンド。
【請求項５】
請求項４に記載の組み立て式テーブルスタンドにおいて、
前記天板支持部には、天板と接する部分に弾性体を設けたことを特徴とする組み立て式テーブルスタンド
【請求項６】
請求項２又は３に記載の組み立て式テーブルスタンドにおいて、
前記第一の横架支柱は前記外側支柱脚と連結される端部側において天板と接する部分に天板の凹部に対応する凸部が設けられ、前記第二の横架支柱は前記内側支柱脚と連結される端部側において天板と接する部分に天板の凹部に対応する凸部が設けられることを特徴とする組み立て式テーブルスタンド。
【請求項７】
請求項２又は３に記載の組み立て式テーブルスタンドにおいて、
前記第一の横架支柱は前記外側支柱脚と連結される端部側において天板と接する部分に天板の凸部に対応する凹部が設けられ、前記第二の横架支柱は前記内側支柱脚と連結される端部側において天板と接する部分に天板の凸部に対応する凹部が設けられることを特徴とする組み立て式テーブルスタンド。
【発明の詳細な説明】
【技術分野】
【０００１】
本発明は、組み立て式テーブルスタンドに関し、特にテーブル天板の高さ位置を適宜自在に変更することができ、その組み立てが容易に行え、かつ収納スペースの節約ができる組み立て式テーブルスタンドに関する。
【背景技術】
【０００２】
展示会に用いられる陳列台、会議に用いられるテーブル、結婚式の披露宴会場に用いられているテーブル、また座卓で使用されるテーブルには、丸く形成された円卓、四辺形に形成された四角卓、楕円状に形成された楕円卓などがあるが、内装や雰囲気にあった形状のテーブルが必要となる場合がある。
またホテルの立食パーティなどで料理を載せるために使用されているテーブルとしては、会議などに用いられるテーブルを兼用して使用することもあるが、その場合テーブルの高さが床から７００ｍｍ程度のものが主流であり、立食パーティで料理を取ろうとするお客様にとっては。その高さが低すぎて取りにくいという問題があった。
そのため立食パーティの料理を載せるために専用のテーブルを用意するところも出てきた。
【０００３】
このような要求に対して、通常はそれぞれ形状や高さの異なる多種類のテーブルを用意しておき、必要に応じてこれらを使い分けるような方策がとられていた。しかしながら、このような一定形状・一定高さのテーブルを多数用意するということは、多大のコストを要することは当然として、各種テーブルをその都度入れ換えるとすれば、さらに多大な労力及び時間も必要であった。また、通常の固定式テーブルにあっては、そのテーブルを使用しないときには、不要なテーブルを収納しておくスペースとしても広大な空間を必要とし、使用場所から離れた位置に専用の収納場所が必要となるなど不経済であった。
【０００４】
一方会議室、集会場、ロビー等において使用する場合に、テーブルを折り畳み式とすることもあり、テーブルの不使用時には折り畳んで片づけておき、使用時にこれを展開して設置することになるが、この種の折り畳み式テーブルは、折り畳み機構に種々の弱点があり、がたつきや異音発生の原因となり易く、雰囲気を重視する宴会場やホテル等での使用に適する高級感を備えたものを得るのは簡単ではない。
【０００５】
このような事情を考慮して天板とテーブル脚を別体に構成し、天板の形状やサイズを変更可能にすることも考えられるが、その場合でもテーブル脚の長さ、すなわちテーブルの高さは脚組立体の製造時に事前決定されてしまうから、その後は任意にテーブルの高さを変更することは困難であった。
【０００６】
例えば、出願人は、特許文献１を開示する。
【特許文献１】特開２００１−５７９１０号公報
【発明の開示】
【発明が解決しようとする課題】
【０００７】
本発明は、上記事情を考慮してなされたもので、お客様の使用目的に合わせて、テーブル脚の高さ寸法を自由に変化させられるようにして、テーブルの台上に各種備品を載置させたり、立食形式でもあるいは着席形式でも、いずれの使用目的に対しても、自由にそのテーブル脚の高さ寸法を変えることで対処可能に構成して、テーブルの汎用性を高めたものである。
さらには、テーブル脚を共通のものにすることで無駄な備品の用意を不要にし、例えば中華料理で使用するターンテーブルの甲板を立食テーブルの食事用の甲板として使い回しできるようにしたりできるようにせんとするものである。
すなわち、テーブル脚を共通化することで、備品の収納スペースを削減できる組み立て式テーブルスタンドを提供することを課題とする。
【課題を解決するための手段】
【０００８】
本発明の課題を解決するための手段として、請求項１に記載の発明は、コの字型形状に形成された外側支柱脚と、前記外側支柱脚の屈曲部に設けられた第一の支持部と、当該第一の支持部と回動可能に連結される第一の横架支柱と、前記外側支柱脚の互いに対向する２辺の支柱脚の内側にそれぞれ近接する２辺の支柱脚を有する内側支柱脚と、前記内側支柱脚の屈曲部に設けられた張出し部と、前記張出し部に設けられた第二の支持部と、当該第二の支持部と回動可能に連結される第二の横架支柱とを備え、前記外側支柱脚と前記内側支柱脚とは、近接する２辺の支柱脚を回動可能に軸支する回動支軸にて連結され、前記第一の横架支柱と前記第二の横架支柱とは、摺動可能に入れ子状態で連結されることを特徴とする組み立て式テーブルスタンドである。
【０００９】
上述した本発明に係わる組み立て式テーブルスタンドによれば、簡易な構造によりテーブル脚の高さの調整が自在にできるので、ユーザが望む高さ位置にテーブル等の天板を自在かつ容易に配置でき、また、この組み立て式テーブルスタンドを収納する場合には、簡単に折り畳むことができ、折り畳み後は厚さが非常に薄くなるので効率のよい収納ができる。この結果、省スペースでありながら自在に高さ調節ができる組み立て式テーブルスタンドが提供される。
【００１０】
本発明の課題を解決するための手段として、請求項２に記載の発明は、請求項１に記載の組み立て式テーブルスタンドにおいて、前記第一の横架支柱には複数の孔が設けられ、前記第二の横架支柱には一つの孔が設けられ、前記第二の横架支柱に設けられた前記一つの孔と、前記第一の横架支柱には設けられた前記複数の孔のうち、いずれか一つの前記孔とを貫通する取り外し可能な貫通部材が設けられることを特徴とする組み立て式テーブルスタンドである。
【００１１】
上述した本発明に係わる組み立て式テーブルスタンドによれば、第一の横架支柱と第二の横架支柱とは入れ子形状になっているので、第一の横架支柱に設けられた一つの孔と第二の横架支柱に設けられた複数の孔の任意に一つの孔との間にボルト等の貫通部材を通すだけで、簡単に高さ調整ができる。したがって、第二の横架支柱に設けられた孔の数に応じて、簡易な構造にて自在に組み立て式テーブルスタンドの高さ調整が可能となる。
【００１２】
本発明の課題を解決するための手段として、請求項３に記載の発明は、請求項２に記載の組み立て式テーブルスタンドにおいて、前記コの字型形状を有する外側支柱脚において、前記内側支柱脚と離間する一つの辺は、摺動可能に入れ子状態で連結される二つの支柱から構成され、前記内側支柱脚において、前記外側支柱脚と離間する一つの辺は、摺動可能に入れ子状態で連結される二つの支柱から構成されていることを特徴とする組み立て式テーブルスタンドである。
【００１３】
上述した本発明に係わる組み立て式テーブルスタンドによれば、自在に高さを調節できる上に、奥行き方向にも自在に幅調節ができる。したがって、本発明の組み立て式テーブルスタンドを一つ用いることによって、天板の幅が様々な寸法の多種類の天板に適応することができる。
【００１４】
本発明の課題を解決するための手段として、請求項４に記載の発明は、請求項２又は３に記載の組み立て式テーブルスタンドにおいて、前記第一の横架支柱は前記外側支柱脚と連結される端部側において天板と接する部分に天板支持部が設けられ、前記第二の横架支柱は前記内側支柱脚と連結される端部側において天板と接する部分に天板支持部が設けられることを特徴とする組み立て式テーブルスタンドである。
【００１５】
上述した本発明に係わる組み立て式テーブルスタンドによれば、天板の裏面が平面でない場合においても、天板支持部に対応する天板の裏面位置が同形状であれば、天板を地面に対して水平に保持することが可能となる。
【００１６】
本発明の課題を解決するための手段として、請求項５に記載の発明は、請求項４に記載の組み立て式テーブルスタンドにおいて、前記天板支持部には、天板と接する部分に弾性体を設けたことを特徴とする組み立て式テーブルスタンドである。
【００１７】
上述した本発明に係わる組み立て式テーブルスタンドによれば、天板がガラス、石材等の裏面が滑らかな素材であったとしても、弾性体によって天板を強固に固定することが可能となる。
【００１８】
本発明の課題を解決するための手段として、請求項６に記載の発明は、請求項２又は３に記載の組み立て式テーブルスタンドにおいて、前記第一の横架支柱は前記外側支柱脚と連結される端部側において天板と接する部分に天板の凹部に対応する凸部が設けられ、前記第二の横架支柱は前記内側支柱脚と連結される端部側において天板と接する部分に天板の凹部に対応する凸部が設けられることを特徴とする組み立て式テーブルスタンドである。
【００１９】
上述した本発明に係わる組み立て式テーブルスタンドによれば、天板の凹部に対応する凸部を持った接触面をテーブルスタンドに設けているので、天板が簡単に滑ることがなく、天板と組み立て式テーブルスタンドが確実に嵌合される。
【００２０】
本発明の課題を解決するための手段として、請求項７に記載の発明は、請求項２又は３に記載の組み立て式テーブルスタンドにおいて、前記第一の横架支柱は前記外側支柱脚と連結される端部側において天板と接する部分に天板の凸部に対応する凹部が設けられ、前記第二の横架支柱は前記内側支柱脚と連結される端部側において天板と接する部分に天板の凸部に対応する凹部が設けられることを特徴とする組み立て式テーブルスタンドである。
【００２１】
上述した本発明に係わる組み立て式テーブルスタンドによれば、天板の凸部に対応する凹部を持った接触面をテーブルスタンドに設けているので、天板が簡単に滑ることがなく、天板と組み立て式テーブルスタンドが確実に嵌合される。
【発明の効果】
【００２２】
以上述べたように請求項１に記載の組み立て式テーブルスタンドによれば、簡易な構造により高さの調整が自在にできるので、ユーザが望む高さ位置にテーブル等の天板を自在かつ容易に配置することができる。また、この組み立て式テーブルスタンドを収納する場合には、簡単に折り畳むことができ、折り畳み後は厚さが非常に薄いので効率のよい収納ができる。この結果、省スペースでありながら自在に高さ調節ができる組み立て式テーブルスタンドが提供される。
【００２３】
請求項２に記載の組み立て式テーブルスタンドによれば、第一の横架支柱と第二の横架支柱とは入れ子形状になっているので、第一の横架支柱に設けられた一つの孔と第二の横架支柱に設けられた複数の孔の任意に一つの孔との間にボルト等の貫通部材を通すだけで、簡単に高さ調整ができる。したがって、第二の横架支柱に設けられた孔の数に応じて、簡易な構造にて自在に組み立て式テーブルスタンドの高さ調整が可能となる。
【００２４】
請求項３に記載の組み立て式テーブルスタンドによれば、自在に高さを調節できる上に、奥行き方向にも自在に幅調節ができる。したがって、本発明の組み立て式テーブルスタンドを一つ用いることによって、天板の幅が様々な寸法の多種類の天板に適応することができる。
【００２５】
請求項４に記載の組み立て式テーブルスタンドによれば、天板の裏面が平面でない場合においても、天板支持部に対応する天板の裏面位置が同種類の形状であれば、天板を地面に対して水平に保持することが可能となる。
【００２６】
請求項５に記載の組み立て式テーブルスタンドによれば、天板がガラス、石材等の裏面が滑らかな素材であったとしても、弾性体によって天板を強固に固定することが可能となる。
【００２７】
請求項６に記載の組み立て式テーブルスタンドによれば、天板の凹部に対応する凸部を持った接触面を設けているので天板が簡単に滑ることがなく、天板と組み立て式テーブルスタンドが確実に嵌合される。
請求項７に記載の組み立て式テーブルスタンドによれば、天板の凸部に対応する凹部を持った接触面をテーブルスタンドに設けているので、天板が簡単に滑ることがなく、天板と組み立て式テーブルスタンドが確実に嵌合される。
【発明を実施するための最良の形態】
【００２８】
以下、添付図面に基づいて本発明に係る組み立て式テーブルスタンドの一実施の形態を詳説する。図１は本発明の一実施の形態に係る組み立て式テーブルスタンドを畳んだ状態を示す斜視図、図２は本発明の一実施の形態に係る組み立て式テーブルスタンドを畳んだ状態を示す平面図、図３は本発明の一実施の形態に係る組み立て式テーブルスタンドを畳んだ状態を示す正面図、図４は本発明の一実施の形態に係る組み立て式テーブルスタンドを畳んだ状態を示す側面図、図５は本発明の一実施の形態に係る組み立て式テーブルスタンドを低い高さまで組み立て、天板を上から被着した状態を示す正面図、図６は本発明の一実施の形態に係る組み立て式テーブルスタンドを高い高さまで組み立て、天板を上から被着した状態を示す正面図である。
【００２９】
図１において示される、畳んだ状態における組み立て式テーブルスタンドＳは、コの字型形状に形成された外側支柱脚１と、この外側支柱脚１の屈曲部１ａ及び１ｂにそれぞれ設けられた第一の支持部２ａ及び２ｂと、第一の支持部２ａと軸を介して回動可能に連結される第一の横架支柱３ａと、第一の支持部２ｂと軸を介して回動可能に連結される第一の横架支柱３ｂと、外側支柱脚１の互いに対向する２辺の支柱脚１ｃ及び１ｄの内側にそれぞれ近接する２辺の支柱脚４ａ及び４ｂを有するコの字型形状に形成された内側支柱脚４と、内側支柱脚４の屈曲部４ｃ及び４ｄに設けられた張出し部４ｅ及び４ｆと、張出し部４ｅに設けられた第二の支持部４ｇと、張出し部４ｆに設けられた第二の支持部４ｈと、第二の支持部４ｇと軸を介して回動可能に連結される第二の横架支柱５ａと、第二の支持部４ｈと軸を介して回動可能に連結される第二の横架支柱５ｂとを備えている。
【００３０】
外側支柱脚１と内側支柱脚４は、近接する２辺の支柱脚４ａ及び１ｃ、近接する２辺の支柱脚４ｂ及び１ｄを回動可能に軸支する回動支軸６により連結され、第一の横架支柱３ａと第二の横架支柱５ｂ及び第一の横架支柱３ｂと第二の横架支柱５ａとは、摺動可能に入れ子状態で連結される。
回動支軸６を取り付けるために、支柱脚１ｃには孔１ｅが設けられ、支柱脚１ｄには孔１ｆ（図示せず）が設けられ、支柱脚４ａには孔４ｉ（図示せず）が設けられ、支柱脚４ｂには孔４ｊ（図示せず）が設けられている。
【００３１】
また、第一の横架支柱３ａ、３ｂ及び第二の横架支柱５ｂ、５ａには、天板と接する部分に天板を支持するための天板支持部７、８、９及び１０が固着されている。
すなわち、第一の横架支柱３ａの一端に天板支持部７がネジ(図示せず)止めされ、又は溶着され、第一の横架支柱３ｂの一端に天板支持部８がネジ（図示せず）止めされ、又は溶着され、第二の横架支柱５ａの一端に天板支持部９がネジ(図示せず)で止めされ又は溶着され、第二の横架支柱５ｂの一端に天板支持部１０がネジ(図示せず)で止めされ又は溶着されている。
【００３２】
さらに、第一の横架支柱３ａには、複数の孔３ａ１、３ａ２、３ａ３、３ａ４、３ａ５が設けられている。また、第一の横架支柱３ｂにも、複数の孔３ｂ１、３ｂ２、３ｂ３、３ｂ４、３ｂ５が設けられている。孔３ａ１と３ｂ１とは、回動支軸６に対して平行な位置に設けられている。同様に、孔３ａ２と孔３ｂ２、孔３ａ３と孔３ｂ３、孔３ａ４と孔３ｂ４、及び孔３ａ５と孔３ｂ５とは、回動支軸６に対して平行な位置に設けられている。
【００３３】
第二の横架支柱５ａの天板支持部９と反対側の端部近傍に孔５ｃが設けられ、孔５ｃには止め具１１が差し込まれている。また、第二の横架支柱５ｂの天板支持部１０と反対側の端部近傍に孔５ｄが設けられ、孔５ｄには止め具１２が挿し込まれる。
止め具１２は、孔５ｄに挿入されると共に、第一の横架支柱３ａに設けられた孔３ａ６（図示せず）にも挿入される。孔５ｄ及び孔３ａ６は、組み立て式テーブルスタンドＳを畳んだ状態において向き合う位置に設けられているので、止め具１２を挿入することができる。そして、孔５ｄ及び孔３ａ６の双方に止め具１１を挿し込むことによって、第一の横架支柱３ａと第二の横架支柱５ｂは方向Ｃに移動することができなくなる。
【００３４】
従って、組み立て式テーブルスタンドＳは畳んだ状態において、ユーザが持ち運ぶ場合においても、図１の状態を保持することができる、
また、止め具１１は、孔５ｃに挿入されると共に、第一の横架支柱３ｂに設けられた孔３ｂ６（図示せず）にも挿入される。孔５ｃ及び孔３ｂ６は、組み立て式テーブルスタンドＳを畳んだ状態において向き合う位置に設けられているので、止め具１１を挿入することができる。そして、止め具１２によって、第一の横架支柱３ｂと第二の横架支柱５ａは方向Ｃに移動することができなくなる。従って、組み立て式テーブルスタンドＳは畳んだ状態において、ユーザが持ち運ぶ場合においても、図１の状態を保持することができる、
【００３５】
また、外側支柱脚１の対向する２辺の支柱脚１ｃ及び１ｄの端部には、組み立て式テーブルスタンドＳを組み立てた場合に、設置面を傷つけず、かつ設置面と滑らないようにゴム等の弾性体１e及び１ｆが設けられている。
同様に、内側支柱脚１の対向する２辺の支柱脚４ａ及び４ｂの端部にも、組み立て式テーブルスタンドＳを組み立てた場合に、設置面を傷つけず、かつ設置面と滑らないようにゴム等の弾性体４ｉ及び４ｊが設けられている。
【００３６】
図１において、外側支柱脚、内側支柱脚４、第一の横架支柱３ａ及び３ｂ、第二の横架支柱５ａ及び５ｂは中空の四角形状とされているが、本発明はこの形態に限定されるわけではなく任意の形状とすることができる。例えば、中空パイプとすることで、軽くて丈夫であり、しかもユーザにとって取り扱いやすい形状となる。また素材も、鉄板及びアルミニウム等の金属材料に限られるわけではなく、プラスチック等の樹脂を用いることで、軽く、しかもユーザにとって取り扱いやすい素材とすることができる。
【００３７】
つぎに、図５を用いて本発明に係る組み立て式テーブルスタンドＳを低い高さにおいて組み立て、天板を上から被着した状態における正面図について説明する。
組み立て式テーブルスタンドＳにおいて、ユーザによって支柱脚４ａ及び４ｂは回動軸６を中心軸として方向Ａに回動され、支柱脚１ｃ及び１ｄは回動軸６を中心軸として方向Ｂに回動される。
【００３８】
この場合、第一の横架支柱３ａ及び３ｂは方向Ｄの方向へ摺動し、第二の横架支柱５ｂ及び５ａは方向Ｅへの方向に摺動する。したがって、第一の横架支柱３ａと第二の横架支柱５ｂとは入れ子状態となり、第二の横架支柱５ｂの中空部分に第一の横架支柱３ａが挿入されていく。
同様に、第一の横架支柱３ｂと第二の横架支柱５ａとは入れ子状態となり、第二の横架支柱５ａの中空部分に第一の横架支柱３ｂが挿入されていく。
【００３９】
また、第二の横架支柱５ｂに設けられた孔５ｄが、第一の横架支柱３ａの孔３ａ５（図示せず）と重なりあい、止め具１２が挿入された状態となる。
この止め具１２が、第二の横架支柱５ｂと第一の横架支柱３ａを移動不可能に固定する。
したがって、第一の横架支柱３ａと第一の支持部２ａにおいて回転可能に連結される支柱脚１ｃは、回動支軸６とも連結されているので、方向Ｂ及びその逆方向に回転できずに、図５で定められる第二の横架支柱３ａと支柱脚１ｃとで構成される角度に固定される。
【００４０】
また、第二の横架支柱５ｂと第二の支持部４ｈにおいて回転可能に連結される支柱脚４ａは、回動支軸６とも連結されているので、方向Ａ及びその逆方向に回転できずに、図５で定められる第一の横架支柱５ｂと支柱脚１ａとで構成される角度に固定される。
また、組み立て式テーブルスタンドＳの背面では、第二の横架支柱５ａに設けられた孔５ｃが、第一の横架支柱３ｂの孔３ｂ５と重なりあい、止め具１１が挿入された状態となる。
この止め具１１が、第一の横架支柱３ｂと第二の横架支柱５ａを移動不可能に固定する。したがって、第一の横架支柱３ｂと第一の支持部２ｂと回転可能に連結される支柱脚１ｄは、回動支軸６とも連結されているので、方向Ｂ及びその逆方向に回転できずに、第一の横架支柱３ｂと支柱脚１ｄとで構成される角度（図５で定められる第一の横架支柱３ａと支柱脚１ｃとで構成される角度と同じ）に固定される。
【００４１】
また、第二の横架支柱５ａと第二の支持部４ｇにおいて回転可能に連結される支柱脚４ｂは、回動支軸６とも連結されているので、方向Ａ及びその逆方向に回転できずに、第一の横架支柱５ａと支柱脚４ｂとで構成される角度（図５で定められる第一の横架支柱５ｂと支柱脚４ａとで構成される角度と同じ）に固定される。このようにして、組み立て式テーブルスタンドＳの高さが固定される。
【００４２】
また、図５において、天板支持部７及び１０は、天板の凹部である凹部１３ａ５及び１３ｂ５に嵌合するようになっているので、天板１３が天板支持部７及び１０から容易に滑ることのない構造となっている。
さらに、天板１３には、天板支持部７の突端形状に対応する凹部１３ａ５、１３ａ４、１３ａ３、１３ａ２、１３ａ１（図示せず）が設けられている。また、天板支持部１０の突端形状に対応する凹部１３ｂ５、１３ｂ４、１３ｂ３、１３ｂ２、１３ｂ１（図示せず）が設けられている。これらの凹部は、組み立て式テーブルスタンドＳの高さをさらに高くした場合に使用される。
【００４３】
組み立て式テーブルスタンドＳの高さを高くしていく（図５における距離Ｈ１の値を大きくしていく）と、支柱脚１ｃの弾性体１ｅと支柱脚４ａの弾性体４ｉとの距離が狭まっていく（図５における距離Ｗ１の値を小さくなる。）。
それと同時に、第二の横架支柱５ｂに設けられた孔５ｄが、第一の横架支柱３ａの孔３ａ４、３ａ３、３ａ２又は３ａ１へと移動して重なりあっていく。この孔５ｄと第一の横架支柱３ａのいずれかの孔が重なった場合において、止め具１２が挿入されたときに、組み立て式テーブルスタンドＳの高さ（図５における距離Ｈ１の値及び距離Ｗ１）が決定される。
【００４４】
また、天板支持部７は、天板１３に設けられた、凹部１３ａ４、１３ａ３、１３ａ２、又は１３ａ１のいずれかの位置に挿入される。また、天板支持部１０は。天板１１に設けられた凹部１３ｂ４、１３ｂ３、１３ｂ２、又は１３ｂ１のいずれかの位置に挿入される。
本実施形態においては、組み立て式テーブルスタンドＳの高さ調節を第二の横架支柱５ｂに設けられた孔５ｄと第一の横架支柱３ａに設けられた孔によって行っているが、本願はこれに限定されるわけではなく無段階に高さを調整することが可能である。例えば、第一の横架支柱３ａを第二の横架支柱５ｂの外側から絞め込むことによって無段階調節が可能となる。第二の横架支柱５ｂの側面にネジ孔を設けて、ボルトのような金具で第一の横架支柱３ａを絞め込むことが可能となる。
【００４５】
つぎに、図６を用いて本発明に係る組み立て式テーブルスタンドＳを図５の組み立て位置よりもさらに高い位置において組み立て、天板１３を上からかぶせた状態における正面図について説明する。
組み立て式テーブルスタンドＳにおいて、ユーザによって支柱脚４ａ及び４ｂは回動軸６を中心軸として、図５の状態からさらに方向Ａに回動され、支柱脚１ｃ及び１ｄは回動軸６を中心として図５の状態からさらに方向Ｂに回動される。
この場合、入れ子状態となっている第一の横架支柱３ａ及び３ｂはさらに方向Ｄの方向へ摺動し、第二の横架支柱５ｂ及び５ａはさらに方向Ｅへの方向に摺動し、入れ子状態となる部分が長くなる。
第二の横架支柱５ｂに設けられた孔５ｄが、第一の横架支柱３ａの３ａ１と重なりあった場合に、止め具１２が挿入される。この場合に、組み立て式テーブルスタンドＳの高さ（図５における距離Ｈ１の値及び距離Ｗ１の値）が最大となる。
【００４６】
そして、図５の場合と同様に、図６において第一の横架支柱３ａと支柱脚１ｃとで構成される角度及び第二の横架支柱５ｂと支柱脚４ａとで構成される角度が固定される。
また、天板支持部７は、天板１３に設けられた凹部１３ａ１に挿入される。また、天板支持部１０は天板１１に設けられた凹部１３ｂ１に挿入される。
このようにして、組み立て式テーブルスタンドＳの高さが固定され、天板支持部７及び８は、天板の凹部である凹部１３ａ１及び１３ｂ１に嵌合するようになっているので、天板１３が天板支持部７及び１０から容易に滑ることのない構造となっている。
【００４７】
つぎに、図７について説明する。
図７は、天板１３と組み立て式テーブルスタンドＳとの接触面を拡大した状態を示す要部の正面図である。
天板支持部７において、天板１３と接触する面にゴム７ａを接着した構造を示す。このゴム７ａは非常に摩擦抵抗が大きいので、天板１３としてガラスを使用した場合にも、ガラス面としっかり固定され、ガラス製の天板１３が容易に滑ることのない構造とすることができる。ゴム部材は、他の天板支持部８、９及び１０にも設けられている。
【００４８】
つぎに、図８について説明する。
図８は、天板１３と組み立て式テーブルスタンドＳとの接触面を拡大した状態を示す要部の正面図である。
図８における天板１３には、凸部１３ａが設けられている。天板支持部７には、天板１３との接触面側に、凸部１３ａが挿入される形状となった凹部が設けられたスペーサ７ｂが設けられている。天板１３と組み立て式テーブルスタンドＳとは、天板の凸部１３ａとスペーサ７ｂとで嵌合するため、天板１３が容易に滑ることのない構造とすることができる。
このスペーサ７ｂは、他の天板支持部８、９及び１０にも設けられている。また、天板１３においても、天板支持部８、９及び１０に対応した位置に、それぞれ凸部１３ｂ、１３ｃ及び１３ｄが設けられている。
【００４９】
つぎに図９乃至図１２を用いて、天板の実施形態について説明する。
図９は、天板１３の裏面を示す斜視図である。
天板１３には、組み立て式テーブルスタンドＳの天板支持部７の突端形状に対応する凹部１３ａ５、１３ａ４、１３ａ３、１３ａ２、１３ａ１が一直線状に設けられている。また、組み立て式テーブルスタンドＳの天板支持部１０の突端形状に対応する凹部１３ｂ５、１３ｂ４、１３ｂ３、１３ｂ２及び１３ｂ１が、凹部１３ａ５、１３ａ４、１３ａ３、１３ａ２及び１３ａ１と同一直線状に設けられている。
また、組み立て式テーブルスタンドＳの天板支持部８の突端形状に対応する凹部１３ｃ５、１３ｃ４、１３ｃ３、１３ｃ２、１３ｃ１が一直線状に設けられている。また、組み立て式テーブルスタンドＳの天板支持部９の先端形状に対応する凹部１３ｄ５、１３ｄ４、１３ｄ３、１３ｄ２及び１３ｄ１が、凹部１３ｃ５、１３ｃ４、１３ｃ３、１３ｃ２及び１３ｃ１と同一直線状に設けられている。
【００５０】
本実施形態においては、天板支持部７が凹部１３ａ１に挿入される場合は、天板支持部１０が凹部１３ｂ１に挿入され、天板支持部８が凹部１３ｃ１に挿入され、天板支持部９が凹部１３ｄ１に挿入される。また、天板支持部７が凹部１３ａ２に挿入される場合は、天板支持部１０が凹部１３ｂ２に挿入され、天板支持部８が凹部１３ｃ２に挿入され、天板支持部９が凹部１３ｄ２に挿入される。
さらに、天板支持部７が凹部１３ａ３に挿入される場合は、天板支持部１０が凹部１３ｂ３に挿入され、天板支持部８が凹部１３ｃ３に挿入され、天板支持部９が凹部１３ｄ３に挿入される。
また、天板支持部７が凹部１３ａ４に挿入される場合は、天板支持部１０が凹部１３ｂ４に挿入され、天板支持部８が凹部１３ｃ４に挿入され、天板支持部９が凹部１３ｄ４に挿入される。
さらに、天板支持部７が凹部１３ａ５に挿入される場合は、天板支持部１０が凹部１３ｂ５に挿入され、天板支持部８が凹部１３ｃ５に挿入され、天板支持部９が凹部１３ｄ５に挿入される。ここで、天板支持部７が凹部１３ａ１に挿入される場合に、天板１３の位置は最も高くなり、天板支持部７が凹部１３ａ５に挿入される場合に、天板１３の位置は最も低くなる。
【００５１】
また、図９における奥行き方向Ｄ１の長さを変更することもできるように、天板には凹部１３ａ６、１３ａ７、１３ｃ６及び１３ｃ７が一直線状に設けられている。この場合には、組み立て式テーブルスタンドＳの外側指示脚１が天板支持部７と８との間で、伸縮できるように構成される。構成方法は、第一の横架支柱と第二の横架支柱と同様に入れ子状態にすることにより実現できる。
同様に、天板には凹部１３ｂ６、１３ｂ７、１３ｄ６及び１３ｄ７が一直線状に設けられている。この場合には、組み立て式テーブルスタンドＳの内側指示脚４が天板支持部１０と９との間で、伸縮できるように構成される。構成方法は、第一の横架支柱と第二の横架支柱と同様に入れ子状態にすることにより実現できる。
【００５２】
また、組み立て式テーブルスタンドＳの回動支軸６も、第一の横架支柱と第二の横架支柱と同様に入れ子状態にすることにより奥行き方向Ｄ１の長さを変更することができる。さらに、回動支軸６の中央部分を奥行き方向Ｄ１の調整長さ以上取り除くことによっても、組み立て式テーブルスタンドＳを奥行き方向Ｄ１において伸縮させることができる。
【００５３】
図１０は、図９における天板１３の裏面Ａ−Ａの断面図である。
組み立て式テーブルスタンドＳの天板支持部７の突端形状７に対応する凹部として、凹部１３ａ５、１３ａ４、１３ａ３、１３ａ２、１３ａ１が一直線状に設けられている。
【００５４】
図１１は、六角形状の天板の裏面図である。図９における凹部１３ａに対応する凹部が凹部１４ａであり、凹部１３ｂに対応する凹部が凹部１４ｂであり、凹部１３ｃに対応する凹部が凹部１４ｃであり、凹部１３ｄに対応する凹部が凹部１４ｄであり、それぞれの符号末尾の数字番号が対応する。図９における凹部１３の相互の位置関係は、図１１における凹部１４の相互の位置関係と同一である。
【００５５】
図１２は、丸形状の天板１５の裏面図である。
天板１５は、中華料理を提供する際に用いられる丸テーブルである。点線１５ｅの内側に相当する丸形状の天板１６が、回転自在に天板１５の表面に設けられる。天板１６と天板１５とはボールベアリング等で連結されているので、天板１５は自在に回転することができる。したがって、天板１５に置かれた中華料理を盛った皿を天板１５の周囲にいる人が自由に自分の前まで、天板１５を回転させることによって、取り寄せることができる。
【００５６】
図９における凹部１３ａに対応する凹部が凹部１５ａであり、凹部１３ｂに対応する凹部が凹部１５ｂであり、凹部１３ｃに対応する凹部が凹部１５ｃであり、凹部１３ｄに対応する凹部が凹部１５ｄであり、それぞれの符号末尾の数字番号が対応する。また図９における凹部１３の相互の位置関係は、図１２における凹部１５の相互の位置関係と同一である。
【産業上の利用可能性】
【００５７】
本発明は、組み立て式テーブルスタンドを製造する分野、並びにこのテーブルスタンドを利用する展示場、ホテル、会議室などで幅広く利用することができる。
【図面の簡単な説明】
【００５８】
【図１】本発明の一実施の形態に係る組み立て式テーブルスタンドを畳んだ状態を示す斜視図である。
【図２】同平面図である。
【図３】同正面図である。
【図４】同側面図である。
【図５】本発明の一実施の形態に係る組み立て式テーブルスタンドを低い高さまで組み立て、天板を上から被着した状態を示す正面図である。
【図６】本発明の一実の形態施に係る組み立て式テーブルスタンドを高い高さまで組み立て、天板を上から被着した状態を示す正面図である。
【図７】天板１３と組み立て式テーブルスタンドＳとの接触面を拡大した状態を示す要部の正面図である。
【図８】天板１３と組み立て式テーブルスタンドＳとの接触面を拡大した状態を示す要部の正面図である。
【図９】天板１３の裏面を示す斜視図である。
【図１０】図９における天板１３の裏面Ａ−Ａ線の断面図である。
【図１１】六角形状の天板の裏面図である。
【図１２】丸形状の天板１５の裏面図である。
【符号の説明】
【００５９】
１…外側支柱脚
１ａ、１ｂ、４ｃ、４ｄ…屈曲部
１ｃ、１ｄ、４ａ、４ｄ…支柱脚
２ａ、２ｂ…第一の支持部
４ｇ、４ｈ…第二の支持部
３ａ、３ｂ…第一の横架支柱部
４…内側支柱脚
５ａ、５ｂ…第二の横架支柱
６…回動支軸
７、８、９、１０…天板支持部
１１、１２…止め具
【図１】
0004834805.tif 000002
【図２】
0004834805.tif 000003
【図３】
0004834805.tif 000004
【図４】
0004834805.tif 000005
【図５】
0004834805.tif 000006
【図６】
0004834805.tif 000007
【図７】
0004834805.tif 000008
【図８】
0004834805.tif 000009
【図９】
0004834805.tif 000010
【図１０】
0004834805.tif 000011
【図１１】
0004834805.tif 000012
【図１２】
0004834805.tif 000013